【手続補正書】
【提出日】平成17年5月31日(2005.5.31)
【手続補正１】
【補正対象書類名】明細書
【補正対象項目名】特許請求の範囲
【補正方法】変更
【補正の内容】
【特許請求の範囲】
【請求項１】  ハウジングであって、第１の流体開口と、前記第１の流体開口に近接したハウジング外表面に設けられた少なくとも一つのネジ山と、第１の中央軸を有する第１の腔と、前記第１の腔と流体連通する第２の腔を画定する第２の中央軸を有するカニューレと、前記カニューレに形成された第２の流体開口と、外側スリーブであって、その内壁に設けられた少なくとも一つのネジ山で前記カニューレの少なくとも一部囲む外側スリーブと、ベントとを有し、前記第１の腔が、前記第１の流体開口に近い第１の領域と、前記第１の腔の対向端に近い第２の領域とを有し、前記第１の中央軸および前記第２の中央軸が互いに平行でないハウジングと、
前記第１の腔の内部に位置された強固なピストンであって、第１の端部、第２の端部、該第１の端部に近接した第１のシール、および該第２の端部に近接した第２のシールを有し、前記ピストンは、医療用器具を前記第１の流体開口に挿入し該医療用器具と前記医療用バルブとの間で流体を移送するとき、前記第１の腔の内部で第１の位置から第２の位置へ移動するように構成され、前記第１の位置における前記ピストンの前記第１の端部は、前記第１の流体開口に近接して位置付けされた強固なピストンと、を含み、
前記第１の腔における前記ピストンの前記第２のシールと前記第２の領域との間の空間は、前記ピストンが前記第２の位置から前記第１の位置へ動くときに前記ハウジングのエアベントを通過する空気で満たされるように構成され、前記第２のシールは、前記ピストンが前記第１の位置から前記第２の位置へ動くときに、前記第１の腔における前記第１の腔、前記第２の腔間の流体連通点と前記第２の領域との間で前記ハウジングの内壁の少なくとも一部に接触し、前記バルブは、前記第１の開口から前記医療用器具を除去するときに前記第２の開口の方向に流体を排出するように構成されたことを特徴とする正の流動をもたらす医療用バルブ。
【請求項２】  前記第１の位置へ前記ピストンを付勢するように構成された付勢部材をさらに含む、請求項１に記載の医療用バルブ。
【請求項３】  前記ピストンが更にショルダーを有し、前記第１の腔が、前記ピストンが前記第１の位置にあるときに前記ピストンの前記ショルダーに接触するレッジを更に有する、請求項２に記載の医療用バルブ。
【請求項４】  前記ピストンが中空である、請求項１に記載の医療用バルブ。
【請求項５】  前記付勢部材を支持すべく、前記第１の腔の内部に支持部材が位置された、請求項２に記載の医療用バルブ。
【請求項６】  前記第１のシールおよび前記第２のシールの少なくとも一方が、前記ピストンが作られている材料とは異なる弾性を有する材料から成る、請求項１に記載の医療用バルブ。
【請求項７】  前記第２のシールの直径が、前記第１のシールの直径よりも大きい、請求項１に記載の医療用バルブ。
【請求項８】  ハウジングであって、第１の流体開口と、第１の中央軸を有する第１の腔と、前記第１の腔と流体連通する第２の腔を画定する第２の中央軸を有するカニューレと、前記カニューレに形成された第２の流体開口と、ベントとを有し、前記第１の腔が、前記第１の流体開口に近い第１の領域と、前記第１の腔の対向端に近い第２の領域とを有し、前記第１の中央軸および前記第２の中央軸が互いに平行でないハウジングと、
前記第１の腔の内部に位置された強固なピストンであって、第１の端部、第２の端部、該第１の端部に近接した第１のシール、および該第２の端部に近接した第２のシールを有し、前記ピストンは、医療用器具を前記第１の流体開口に挿入し該医療用器具と前記医療用バルブとの間で流体を移送するとき、前記第１の腔の内部で第１の位置から第２の位置へ移動するように構成され、前記第１の位置における前記ピストンの前記第１の端部は、前記第１の流体開口に近接して位置付けされた強固なピストンと、を含み、
前記第１の腔における前記ピストンの前記第２のシールと前記第２の領域との間の空間は、前記ピストンが前記第２の位置から前記第１の位置へ動くときに前記ハウジングのエアベントを通過する空気で満たされるように構成され、前記第２のシールは、前記ピストンが前記第１の位置から前記第２の位置へ動くときに、前記第１の腔における前記第１の腔、前記第２の腔間の流体連通点と前記第２の領域との間で前記ハウジングの内壁の少なくとも一部に接触し、前記バルブは、前記第１の開口から前記医療用器具を除去するときに前記第２の開口の方向に流体を排出するように構成されたことを特徴とする正の流動をもたらす医療用バルブ。
【請求項９】  前記第１の位置へ前記ピストンを付勢するように構成された付勢部材をさらに含む、請求項８に記載の医療用バルブ。
【請求項１０】  前記ピストンが更にショルダーを有し、前記第１の腔が、前記ピストンが前記第１の位置にあるときに前記ピストンの前記ショルダーに接触するレッジを更に有する、請求項９に記載の医療用バルブ。
【請求項１１】  前記ピストンが中空である、請求項８に記載の医療用バルブ。
【請求項１２】  前記付勢部材を支持すべく、前記第１の腔の内部に支持部材が位置された、請求項９に記載の医療用バルブ。
【請求項１３】  前記第１のシールおよび前記第２のシールの少なくとも一方が、前記ピストンが作られている材料とは異なる弾性を有する材料から成る、請求項８に記載の医療用バルブ。
【請求項１４】  前記第２のシールの直径が、前記第１のシールの直径よりも大きい、請求項８に記載の医療用バルブ。
【請求項１５】  ハウジングであって、第１の流体開口と、第１の中央軸を有する第１の腔と、前記第１の腔と流体連通する第２の腔を画定する第２の中央軸を有するカニューレと、前記カニューレに形成された第２の流体開口とを有し、前記第１の腔が、前記第１の流体開口に近い第１の領域と、前記第１の腔の対向端に近い第２の領域とを有するハウジングと、
前記第１の腔の内部に位置された強固なピストンであって、第１の端部、第２の端部、該第１の端部に近接した第１のシール、および該第２の端部に近接した第２のシールを有し、前記ピストンは、医療用器具を前記第１の流体開口に挿入し該医療用器具と前記医療用バルブとの間で流体を移送するとき、前記第１の腔の内部で第１の位置から第２の位置へ移動するように構成され、前記第１の位置における前記ピストンの前記第１の端部は、前記第１の流体開口に近接して位置付けされた強固なピストンと、を含み、
前記第１の腔における前記ピストンの前記第２のシールと前記第２の領域との間の空間は、前記ピストンが前記第２の位置から前記第１の位置へ動くときに前記ハウジングのエアベントを通過する空気で満たされるように構成され、前記第２のシールは、前記ピストンが前記第１の位置から前記第２の位置へ動くときに、前記第１の腔における前記第１の腔、前記第２の腔間の流体連通点と前記第２の領域との間で前記ハウジングの内壁の少なくとも一部に接触し、前記バルブは、前記第１の開口から前記医療用器具を除去するときに前記第２の開口の方向に流体を排出するように構成されたことを特徴とする正の流動をもたらす医療用バルブ。
【請求項１６】  前記第１の位置へ前記ピストンを付勢するように構成された付勢部材をさらに含む、請求項１５に記載の医療用バルブ。
【請求項１７】  前記ピストンが更にショルダーを有し、前記第１の腔が、前記ピストンが前記第１の位置にあるときに前記ピストンの前記ショルダーに接触するレッジを更に有する、請求項１６に記載の医療用バルブ。
【請求項１８】  前記ピストンが中空である、請求項１５に記載の医療用バルブ。
【請求項１９】  前記付勢部材を支持すべく、前記第１の腔の内部に支持部材が位置された、請求項１６に記載の医療用バルブ。
【請求項２０】  前記第１のシールおよび前記第２のシールの少なくとも一方が、前記ピストンが作られている材料とは異なる弾性を有する材料から成る、請求項１５に記載の医療用バルブ。
【請求項２１】  前記第２のシールの直径が、前記第１のシールの直径よりも大きい、請求項１５に記載の医療用バルブ。